【事件の表示】
　特願２００２−１６８０３６「ディスプレイ」拒絶査定不服審判事件〔平成１５年　４月　４日出願公開、特開２００３−　９９２４２〕について、次のとおり審決する。
【結　論】
　本件審判の請求は、成り立たない。
【理　由】
第１．手続きの経緯
　本願は、平成５年２月１０日に出願した特願平５−２２２１２号の一部を平成１４年６月１０日に新たな特許出願としたものであって、平成１７年９月２日付けで拒絶査定がなされ、これに対して、平成１７年１０月６日付けで審判請求がなされるとともに、平成１７年１１月７日付けで手続補正がなされたものである。
　
第２．本願発明について
１．本願発明
　本願の請求項５に係る発明（以下、「本願発明」という。）は、平成１７年１１月７日付けの手続補正により補正された明細書及び図面の記載からみて、その特許請求の範囲の請求項５に記載された次のとおりのものと認める。
　
「【請求項５】　コンピュータと双方向通信可能なインターフェイス手段を介して接続可能であって、該コンピュータからの映像信号に基づき映像を表示可能なディスプレイであって、
　前記ディスプレイを識別するために前記ディスプレイに割り当てられた
ＩＤ
　前記メモリ回路に記憶された
前記ＩＤ
　
　
２．引用例
　これに対して、原査定の拒絶の理由で引用された欧州特許出願公開第４５６９２３号明細書（以下、「引用例１」という。）は、「Display system (ディスプレイシステム)」に関するものであって、図面とともに次の事項が記載されている。
　
ａ．「The present invention is related to a display system in which control data is communicated between a computer system and a display device.
  The control data includes parameters for specifying the geometry and resolution of an image presented on the display device. In a display system comprising a raster-scanned display device such as a Cathode Ray Tube (CRT) display device, these parameters are determined by the rates and amplitudes of horizontal and vertical scan signals generated for producing the raster scan by electrical circuits in the display device. In order to generate the image, the scan signals are synchronised to video signals from a video source such as a computer system by synchronisation (sync) pulses also generated by the video source.」（３頁左欄１行〜１６行）
　
（本発明は、制御データがコンピュータシステムとディスプレイ装置との間で通信されるディスプレイシステムに関する。
　制御データはディスプレイ装置上に表示された像の形状と解像度とを規定するパラメータを含む。例えば陰極線管（ＣＲＴ）ディスプレイ装置のようなラスタ走査のディスプレイ装置からなるディスプレイシステムにおいては、前記パラメータは、ディスプレイ装置において電気回路によりラスタ走査を提供するよう生成される水平方向および垂直方向の走査信号の速度と振幅とによって決まる。像を発生させるためには、コンピュータシステムのようなビデオソースからのビデオ信号に対して走査信号が、これもビデオソースによって生成される同期化（ｓｙｎｃ）パルスによって同期化される。）
　
ｂ．「Figure 1 illustrates an example of a computer system incorporating a display system having a CRT display device 88.
 The computer system includes a central processing unit (CPU) 80 for executing programmed instructions. A bus architecture 86 provides a data communication path between the CPU 80 and other components of the display system. A read only memory (ROS) 81 provides secure storage of data. A random access memory 82 provides temporary data storage. Data communication with a host computer system 93 is provided by a communication adapter 85. An I/O adapter 84 enables data to pass between the bus architecture 86 and a peripheral device such as a disk file 83. A user can operate the computer system using a keyboard 91 which is connected to the bus architecture 86 by a keyboard adapter 90. The CRT display device 88 provides a visual output from the display system. A display adapter 92 generates video and sync signals at an output port 94 for enabling the display device 88 to generate the visual output.
 In accordance with the present invention, the display device 88 comprises a Non-Volatile Memory (NVM) 9 for storing display information in the form of digital codes. The display information is communicated between the display device 88 and the display adapter 92 along a serial link 3 which is controlled by communication logic 95. The serial link 3 is separate from the lines carrying the video and sync signals from the display adapter 92 to the display device. The communication logic 95 is divided into adapter logic 96 and device logic 97. In operation, the adapter logic 96 initiates commands for both reading and writing data to the NVM 9 and the device logic 97 responds accordingly. 」（３頁右欄５６行〜４頁左欄３３行）
　
（本発明の一例を添付図面を参照して以下説明する。図１は、ＣＲＴディスプレイ装置８８を有するディスプレイシステムを組み入れたコンピュータシステムの一例を示す。
　コンピュータシステムは、プログラム化された命令を実行するための中央処理装置（ＣＰＵ）８０を含む。バスアーキテクチヤ８６は、ＣＰＵ８０とディスプレイシステムの他の構成要素との間でのデータ通信を提供する。読取り専用メモリ（ＲＯＳ）８１はデータを安全に記憶する。ランダムアクセスメモリ８２は一時的にデータを記憶する。ホストコンピュータシステム９３とのデータ通信は通信アダプタ８５によって提供される。Ｉ／Ｏアダプタ８４は、データがバスアーキテクチヤ８６と、例えばディスクファイル８３のような周辺装置との間を通ることができるようにする。ユーザは、キーボードアダプタ９０によってバスアーキテクチヤ８６に接続されているキーボード９１を用いてコンピュータシステムを操作することができる。ＣＲＴディスプレイ装置８８はディスプレイシステムからの可視出力を提供する。ディスプレイアダプタ９２は、ディスプレイ装置８８が可視出力を発生できるようにするために出力ポート９４においてビデオ信号および同期信号を発生させる。
　本発明によれば、ディスプレイ装置８８は、デジタルコードの形式のディスプレイ情報を記憶する不揮発性記憶装置（ＮＶＭ）９を含む。ディスプレイ情報は、通信ロジック９５により制御されるシリアルリンク３に沿ってディスプレイ装置８８とディスプレイアダプタ９２との間で通信される。シリアルリンク３は、ディスプレイアダプタ９２からディスプレイ装置までビデオ信号および同期信号を運ぶラインから分離している。通信ロジック９５はアダプタロジック９６と装置ロジック９７とに分割されている。作動時、アダプタロジック９６はＮＶＭ９からデータを読取り、かつそれへ書込む双方の指令を初期化し、装置ロジック９７はそれに応じて応答する。）
　
ｃ．「Address space in the NVM 9 is divided into a personality NVM 10 and a program NVM 11.
   The personality NVM 10 contains identification codes for providing the display system with a specification of the display device 88 connected to the display adapter 92. Each identification code is stored in a different address location. The identification codes include coded timing parameters for enabling the display adapter 92 to generate appropriate video and sync signals. Specifically, the timing parameters include sync pulse widths, active video periods, and blanking intervals. Preferably, the identification codes also include a coded　transfer parameter for indicating the maximum rate at which the device logic 97 can read or write data to the serial link 3. By reading the transfer parameter before issuing any further commands, the adapter logic 96 can ensure that data is subsequently transferred between the display device 88 and the display adapter 92 at a rate which  is compatible with both the adapter logic 96 and the device logic 97. 」（４頁左欄４７行〜右欄１１行）
　
（ＮＶＭ９におけるアドレス空間はパーソナリティＮＶＭ１０とプログラムＮＶＭ１１とに分割されている。
　パーソナリティＮＶＭ１０は、ディスプレイアダプタ９２に接続されたディスプレイ装置８８の仕様をディスプレイシステムに提供する識別コードを含む。各識別コードは異なるアドレス位置に記憶されている。識別コードは、ディスプレイアダプタ９２が適当なビデオ信号および同期信号を発生させることができるようにさせるコード化したタイミングパラメータを含む。詳しくは、タイミングパラメータは、同期パルス幅、活動ビデオ期間およびブランキング間隔を含む。また、識別コードは、装置ロジック９７がシリアルリンク３からデータを読みまたそれへ書きうる最大速度を示すためのコード化した転送パラメータを含むことが好ましい。何らかの別の指令を発行する前に転送パラメータを読み取ることにより、アダプタロジック９６は、データが後続してアダプタロジック９６と装置ロジック９７の双方と両立する速度でディスプレイ装置８８とディスプレイアダプタ９２との間で転送されることを保証する。）
　
　以上の記載から、引用例１には、次の発明（以下「引用例１発明」という。）が記載されているものと認める。
　
「制御データがコンピュータシステムとディスプレイ装置との間で通信されるディスプレイシステムであって、
　制御データはディスプレイ装置上に表示された像の形状と解像度とを規定するパラメータを含み、例えば陰極線管（ＣＲＴ）ディスプレイ装置のようなラスタ走査のディスプレイ装置からなるディスプレイシステムにおいては、前記パラメータは、ディスプレイ装置において電気回路によりラスタ走査を提供するよう生成される水平方向および垂直方向の走査信号の速度と振幅とによって決まり、像を発生させるためには、コンピュータシステムのようなビデオソースからのビデオ信号に対して走査信号が、これもビデオソースによって生成される同期化（ｓｙｎｃ）パルスによって同期化されるものであり、
　コンピュータシステムは、プログラム化された命令を実行するための中央処理装置（ＣＰＵ）８０を含み、ＣＲＴディスプレイ装置８８はディスプレイシステムからの可視出力を提供し、ディスプレイアダプタ９２は、ディスプレイ装置８８が可視出力を発生できるようにするために出力ポート９４においてビデオ信号および同期信号を発生させ、
　ディスプレイ装置８８は、デジタルコードの形式のディスプレイ情報を記憶する不揮発性記憶装置（ＮＶＭ）９を含み、前記ディスプレイ情報は、通信ロジック９５により制御されるシリアルリンク３に沿ってディスプレイ装置８８とディスプレイアダプタ９２との間で通信され、シリアルリンク３は、ディスプレイアダプタ９２からディスプレイ装置までビデオ信号および同期信号を運ぶラインから分離しており、通信ロジック９５はアダプタロジック９６と装置ロジック９７とに分割され、作動時、アダプタロジック９６はＮＶＭ９からデータを読取り、かつそれへ書込む双方の指令を初期化し、装置ロジック９７はそれに応じて応答し、
　ＮＶＭ９におけるアドレス空間はパーソナリティＮＶＭ１０とプログラムＮＶＭ１１とに分割され、パーソナリティＮＶＭ１０は、ディスプレイアダプタ９２に接続されたディスプレイ装置８８の仕様をディスプレイシステムに提供する識別コードを含み、前記識別コードは、ディスプレイアダプタ９２が適当なビデオ信号および同期信号を発生させることができるようにさせるコード化したタイミングパラメータを含み、詳しくは、タイミングパラメータは、同期パルス幅、活動ビデオ期間およびブランキング間隔を含み、また、識別コードは、装置ロジック９７がシリアルリンク３からデータを読みまたそれへ書きうる最大速度を示すためのコード化した転送パラメータを含むことが好ましく、何らかの別の指令を発行する前に転送パラメータを読み取ることにより、アダプタロジック９６は、データが後続してアダプタロジック９６と装置ロジック９７の双方と両立する速度でディスプレイ装置８８とディスプレイアダプタ９２との間で転送されることを保証する
　ディスプレイシステム。」
　
　
　同じく原査定の拒絶の理由で引用された実願昭６３−８４９６４号（実開平２−７６９６号）のマイクロフィルム（以下、「引用例２」という。）には、図面とともに次の事項が記載されている。
　
ｄ．「〔従来の技術〕
　従来、ワークステーションシステム等に用いるＣＲＴディスプレイにおいては、その解像度、モノクロ、カラー等の相違によって、数種類のものが用いられていた。
　これに対応してＣＲＴディスプレイ・コントロールボードもそれぞれ種類の異なるものが用いられ、その種類の識別は、前記ＣＲＴディスプレイ・コントロールボードに設けたＩＤ番号を本体マシン側のＣＰＵがチエックすることによって行っていた。」（１頁１８行〜２頁９行）
　
　
３．対比
　本願発明と引用例１発明とを対比すると、引用例１発明の「コンピュータシステム」は、本願発明の「コンピュータ」に相当し、以下同様に、「不揮発性記憶装置（ＮＶＭ）９」、「ディスプレイ装置８８」は本願発明の「メモリ回路」、「ディスプレイ」にそれぞれ相当する。
　また、引用例１発明の「通信ロジック９５」のうちディスプレイ装置８８側が有する「装置ロジック９７」は、「ディスプレイ情報は、通信ロジック９５により制御されるシリアルリンク３に沿ってディスプレイ装置８８とディスプレイアダプタ９２との間で通信され」、及び「作動時、アダプタロジック９６はＮＶＭ９からデータを読取り、かつそれへ書込む双方の指令を初期化し、装置ロジック９７は対応して応答」すると記載されているから、本願発明の「インターフェイス手段」に相当し、さらに引用例１発明の「ディスプレイアダプタ９２」は「コンピュータシステム」が備えるのであるから、引用例１発明の「ディスプレイ装置８８」は、「コンピュータと双方向通信可能なインターフェイス手段を介して接続可能」である点で本願発明と一致する。
　また、引用例１発明の「ディスプレイ装置８８」は、「コンピュータシステム」の「ディスプレイアダプタ９２」が、「ディスプレイ装置８８が可視出力を発生できるようにするために出力ポート９４においてビデオ信号および同期信号を発生させ」るとともに、「ディスプレイアダプタ９２からディスプレイ装置までビデオ信号および同期信号を運ぶライン」を備えるから、本願発明の「コンピュータからの映像信号に基づき映像を表示可能なディスプレイ」に相当する。
　また、引用例１発明の「識別コード」は、「ＮＶＭ９におけるアドレス空間はパーソナリティＮＶＭ１０とプログラムＮＶＭ１１とに分割され、パーソナリティＮＶＭ１０は、ディスプレイアダプタ９２に接続されたディスプレイ装置８８の仕様をディスプレイシステムに提供する識別コードを含み」、及び「識別コードは、装置ロジック９７がシリアルリンク３からデータを読みまたそれへ書きうる最大速度を示すためのコード化した転送パラメータを含むことが好ましく、何らかの別の指令を発行する前に転送パラメータを読み取ることにより、アダプタロジック９６は、データが後続してアダプタロジック９６と装置ロジック９７の双方と両立する速度でディスプレイ装置８８とディスプレイアダプタ９２との間で転送されることを保証する」の記載から、ディスプレイ装置８８のＮＶＭ９に記憶され、ディスプレイアダプタ９２に送信されていることは明らかであるので、本願発明のＩＤ番号とは、「ディスプレイを識別する情報」という上位概念で一致する。さらに、引用例１発明の「不揮発性記憶装置（ＮＶＭ）９」は、本願発明の「メモリ回路」とは、「ディスプレイを識別する情報を記憶する」点で一致し、引用例１発明では「識別コード」は、「アダプタロジック９６」に読み取られるから、「ディスプレイ装置８８」は、本願発明の「ディスプレイ」とは「メモリ回路に記憶されたディスプレイを識別する情報が、読み出され、インターフェイス手段を介してコンピュータへ送信されるコンピュータへ送信する送信回路」を備える点で一致する。
　
　以上を総合して両者は、
「コンピュータと双方向通信可能なインターフェイス手段を介して接続可能であって、該コンピュータからの映像信号に基づき映像を表示可能なディスプレイであって、
　ディスプレイを識別する情報を記憶するメモリ回路を備え、
　前記メモリ回路に記憶された前記情報が、読み出され、前記インターフェイス手段を介して前記コンピュータへ送信されるように構成したディスプレイ。」
　
である点で一致し、以下の点で相違している。
　
［相違点１］
　メモリ回路に記憶され、コンピュータへ送信されるディスプレイを識別する情報は、本願発明では「ディスプレイを識別するために該ディスプレイに割り当てられたＩＤ番号」であるのに対し、引用例１発明ではディスプレイの「仕様」を提供する「識別コード」である点。
　
［相違点２］
　メモリ回路に記憶される「ディスプレイを識別する情報」は、本願発明では「コンピュータの起動用ソフトウェアの動作によって読み出され」るのに対して、引用例１発明では明らかでない点。
　
　
４．判断
［相違点１］
　引用例２の摘記事項ｄ．には、ＣＲＴデイスプレイを識別するためにＣＲＴデイスプレイ・コントロールボードに設けた「ＩＤ番号」を本体マシン側でチェックすることが記載されており、また一般に、表示装置などの電子機器において、電子機器を識別するために該電子機器に割り当てられたＩＤ番号を記憶すること（例えば、特開昭６１−２８５８７６号公報（３頁右下欄１８行〜４頁左上欄３行の記載「不揮発性メモリ２１の装置情報領域には、・・・そのテレビジョン受像機１に固有の情報、例えばシリアル番号、機種番号、仕様コード、製造コード等を書き込む。」参照。）、特開昭６３−３７７８３号公報（２頁右下欄１０行〜１５行の記載「EAROM(EPROMとも称される)１８は消去可能プログラマブル読出専用メモリで・・・テレビ受像機の製造番号のデータが格納される。」参照。）等参照。）、及び電子機器が該電子機器に割り当てられたＩＤ番号を記憶するとともに、該電子機器外へ送信すること（例えば、特開昭６１−２８５８７６号公報（３頁左下欄１２行〜１５行の記載「不揮発性メモリ２１はテレビジョン受像機１の外部端子２２、２２、・・・にも接続され、該外部端子２２、２２、・・・を通して外部からも書き込み、読み出しが出来る」参照。）、特開平４−１６８５３３号公報（３頁右上欄１８行〜左下欄１行の記載「システム制御装置７は記憶部５に格納された装置名称および製造番号５ａ（例えば、装置名称：ＥＰＵ１２３、製造番号：Ａ０００２）を読み取り、」参照。）等参照。）は、いずれも周知技術であるから、引用例１発明において、引用例２に示される技術を用いて、ディスプレイの仕様を提供する識別コードに代えて、デイスプレイを識別するＩＤ番号を用いるように構成することは、当業者が容易になしえたことと認められる。
　なお、出願人は、審判請求書において、「ＩＤ番号」について、「「ＩＤ番号」は、例えば、型式番号のようなものであって、「ディスプレイ」が登録されているのと同じであることを識別できるものである。」旨主張しているが、一般的に「型式番号」は、基本的な構造・設備・外形などによって分類する、特定の型、モデルであり、引用例２では「ＩＤ番号」によってデイスプレイの種類を識別しているから、本願発明の「ＩＤ番号」と差異はない。
　
［相違点２］
　一般に、コンピュータの起動用ソフトウェアの動作によって、コンピュータに接続される周辺機器などに記憶される種々の情報を読み出すことは、周知技術（例えば、特開平３−７１２５４号公報（電子計算機システム１０のオペレーティングシステムの起動時に、接続されている周辺装置から装置情報を受け取っている（第２頁左下欄１０行〜第３頁右上欄１５行））等参照。）であるから、引用例１発明において、ＮＶＭ９に記憶されたディスプレイを識別する情報を読み出すにあたって、当該周知技術を用いて、コンピュータの起動用ソフトウェアの動作によって読み出す構成とすることは、当業者が容易になしえたことと認められる。
　
　
　また、本願発明の効果も、引用例１及び２の記載並びに周知技術に基づけば、当業者が普通に想起する範囲内のものである。
　
５．むすび
　したがって、本願発明（請求項５に係る発明）は、引用例１及び２に記載された発明並びに周知技術に基づいて当業者が容易に発明をすることができたものであるから、特許法２９条２項の規定により特許を受けることができない。
　
　よって、結論のとおり審決する。